(57)【要約】【課題】リフレクタが透明部材で構成された灯具ユニットを備えた車両用灯具において、その灯具ユニットの見映え向上を図る。【解決手段】光源３０からの出射光をリフレクタ４０によって灯具前方へ向けて反射させるように構成された灯具ユニット２０において、そのリフレクタ４０を透明部材で構成することにより、灯具ユニット２０にクリスタル感を持たせる。その上で、リフレクタ４０の下方に、外部光を反射させて該リフレクタ４０に入射させるエクステンションパネル１６が配置された構成とする。そして、灯具ユニット２０の構成として、エクステンションパネル１６で反射してリフレクタ４０に入射した外部光をその反射面４０ｂで全反射させる構成とする。これにより、灯具ユニット２０の光源３０の非点灯時においても、エクステンションパネル１６で反射してリフレクタ４０に入射した外部光によってその反射面４０ｂが光って見えるようにする。【選択図】図３
2019145312.tif 000002
【特許請求の範囲】
【請求項１】
光源からの出射光をリフレクタによって灯具前方へ向けて反射させるように構成された灯具ユニットを備えた車両用灯具において、
上記リフレクタは、上記光源からの出射光を入射させる入射面と、この入射面から入射した光を全反射させる反射面と、この反射面で全反射した光を出射させる出射面とを備えた透明部材で構成されており、
上記リフレクタの周囲に、外部光を反射させて上記リフレクタに入射させるパネル部材が配置されており、
上記灯具ユニットは、上記パネル部材で反射して上記リフレクタに入射した外部光を上記反射面で全反射させるように構成されている、ことを特徴とする車両用灯具。
【請求項２】
上記反射面は、複数の反射素子を備えている、ことを特徴とする請求項１記載の車両用灯具。
【請求項３】
上記光源は、基板に支持された発光素子で構成されており、
上記基板の表面に光反射処理が施されている、ことを特徴とする請求項１または２記載の車両用灯具。
【請求項４】
上記灯具ユニットは、複数個並んだ状態で配置されており、
上記パネル部材は、該パネル部材で反射した外部光を上記複数の灯具ユニットのリフレクタに対して入射させるように配置されている、ことを特徴とする請求項１〜３いずれか記載の車両用灯具。
【請求項５】
上記光源は、ヘッドランプの点灯モードで点灯するように構成されており、
上記パネル部材は、上記光源の発光色とは異なる表面色を有している、ことを特徴とする請求項１〜４いずれか記載の車両用灯具。
【発明の詳細な説明】
【技術分野】
【０００１】
本願発明は、リフレクタが透明部材で構成された灯具ユニットを備えた車両用灯具に関するものである。
【背景技術】
【０００２】
従来より、車両用灯具として、光源からの出射光をリフレクタによって灯具前方へ向けて反射させるように構成された灯具ユニットを備えたものが知られている。
【０００３】
「特許文献１」には、このような車両用灯具における灯具ユニットとして、透明部材で構成されたリフレクタを備えたものが記載されている。
【先行技術文献】
【特許文献】
【０００４】
【特許文献１】特開２０１１−５４５２７号公報
【発明の概要】
【発明が解決しようとする課題】
【０００５】
このような車両用灯具においては、透明部材で構成されたリフレクタによって灯具ユニットにクリスタル感を持たせることが可能となるが、さらなる見映え向上を図ることが望まれる。
【０００６】
本願発明は、このような事情に鑑みてなされたものであって、リフレクタが透明部材で構成された灯具ユニットを備えた車両用灯具において、その灯具ユニットの見映え向上を図ることができる車両用灯具を提供することを目的とするものである。
【課題を解決するための手段】
【０００７】
本願発明は、所定のパネル部材が追加配置された構成とすることにより、上記目的達成を図るようにしたものである。
【０００８】
すなわち、本願発明に係る車両用灯具は、
光源からの出射光をリフレクタによって灯具前方へ向けて反射させるように構成された灯具ユニットを備えた車両用灯具において、
上記リフレクタは、上記光源からの出射光を入射させる入射面と、この入射面から入射した光を全反射させる反射面と、この反射面で全反射した光を出射させる出射面とを備えた透明部材で構成されており、
上記リフレクタの周囲に、外部光を反射させて上記リフレクタに入射させるパネル部材が配置されており、
上記灯具ユニットは、上記パネル部材で反射して上記リフレクタに入射した外部光を上記反射面で全反射させるように構成されている、ことを特徴とするものである。
【０００９】
上記「光源」の種類は特に限定されるものではない。
【００１０】
上記「外部光」とは、車両用灯具の外部空間から車両用灯具の灯室内に入射する光を意味するものである。
【００１１】
上記「パネル部材」は、リフレクタの周囲に配置されているが、その具体的な構成や配置は特に限定されるものではなく、リフレクタを囲むように配置されたエクステンションパネルで構成されていてもよいし、それ以外のパネル部材で構成されていてもよい。
【００１２】
上記「灯具ユニット」において、パネル部材で反射してリフレクタに入射した外部光を該リフレクタの反射面で全反射させるための具体的な構成は特に限定されるものではない。
【発明の効果】
【００１３】
本願発明に係る車両用灯具は、光源からの出射光をリフレクタによって灯具前方へ向けて反射させるように構成された灯具ユニットを備えており、そのリフレクタは、光源からの出射光を入射させる入射面と、この入射面から入射した光を全反射させる反射面と、この反射面で全反射した光を出射させる出射面とを備えた透明部材で構成されているので、灯具ユニットにクリスタル感を持たせることができる。
【００１４】
その上で、リフレクタの周囲には、外部光を反射させて該リフレクタに入射させるパネル部材が配置されており、そして灯具ユニットは、パネル部材で反射してリフレクタに入射した外部光をその反射面で全反射させる構成となっているので、灯具ユニットの光源の非点灯時においてもパネル部材で反射してリフレクタに入射した外部光によってその反射面が光って見えるようにすることができ、これにより灯具ユニットの見映え向上を図ることができる。
【００１５】
このように本願発明によれば、リフレクタが透明部材で構成された灯具ユニットを備えた車両用灯具において、その灯具ユニットの見映え向上を図ることができる。
【００１６】
上記構成において、リフレクタとして、その反射面が複数の反射素子を備えている構成とすれば、パネル部材で反射してリフレクタに入射した外部光によって複数の反射素子が光って見えるようにすることができ、これにより灯具ユニットの見映えを一層向上させることができる。
【００１７】
上記構成において、灯具ユニットの光源を、基板に支持された発光素子で構成した上で、その基板の表面に光反射処理（例えば鏡面処理や白色塗装処理等）が施された構成とすれば、パネル部材で反射してリフレクタに入射し該リフレクタから出射した外部光を、基板の表面で反射させてリフレクタに再入射させた後に、その反射面で全反射させるようにすることが可能となる。そして、このような構成を採用することにより、パネル部材で反射してリフレクタに入射した外部光を、光源からの出射光に近い光としてリフレクタの反射面で全反射させることができ、これにより反射面が略均一に光って見えるようにすることができる。
【００１８】
上記構成において、灯具ユニットが複数個並んだ状態で配置された構成とした上で、パネル部材として、該パネル部材で反射した外部光を複数の灯具ユニットのリフレクタに対して入射させるように構成されたものとすれば、単一のパネル部材で複数の灯具ユニットの見映え向上を図ることができる。
【００１９】
上記構成において、光源がヘッドランプの点灯モードで点灯するとともに、パネル部材が光源の発光色とは異なる表面色を有する構成とすれば、光源の非点灯時における灯具ユニットの斬新な見映えを演出することができる。
【図面の簡単な説明】
【００２０】
【図１】本願発明の一実施形態に係る車両用灯具を示す正面図
【図２】図１のII−II線断面図であって、上記車両用灯具の灯具ユニットの光源からの出射光の光路を示す図
【図３】上記車両用灯具に入射した外部光の光路を示す、図２と同様の図
【図４】上記車両用灯具を外部光が入射した状態で示す、図１と同様の図
【図５】上記実施形態の第１変形例を示す、図３と同様の図
【図６】上記第１変形例の作用を示す、図４と同様の図
【図７】上記実施形態の第２変形例を示す、図４と同様の図
【図８】上記実施形態の第３変形例を示す、図３と同様の図
【発明を実施するための形態】
【００２１】
以下、図面を用いて、本願発明の実施の形態について説明する。
【００２２】
図１は、本願発明の一実施形態に係る車両用灯具１０を示す正面図であり、図２は、図１のII−II線断面図である。
【００２３】
これらの図において、Ｘで示す方向が灯具としての「前方」（車両としても「前方」）であり、Ｙで示す方向が「前方」と直交する「右方向」（車両としても「右方向」であるが灯具正面視では「左方向」）であり、Ｚで示す方向が「上方向」である。これら以外の図においても同様である。
【００２４】
これらの図に示すように、本実施形態に係る車両用灯具１０は、ランプボディ１２とこのランプボディ１２の前端開口部に取り付けられた素通し状の透光カバー１４とで形成される灯室内に、ロービーム用配光パターンを形成するための灯具ユニット２０が組み込まれた構成となっている。
【００２５】
灯具ユニット２０は、光源３０と、この光源３０からの出射光を灯具前方へ向けて反射させるリフレクタ４０とを備えた構成となっている。
【００２６】
光源３０は、基板３２に支持された発光素子で構成されている。
【００２７】
具体的には、この光源３０は、横長矩形状の発光面３０ａを有する白色発光ダイオードで構成されている。そして、この光源３０は、その発光面３０ａを真下の方向に向けた状態で、水平面に沿って延びるように配置された基板３２の下面３２ａに搭載されている。
【００２８】
基板３２はヒートシンク３４の下面に支持されており、このヒートシンク３４はランプボディ１２に支持されている。基板３２の下面３２ａには、光反射処理として白色塗装処理が施されている。
【００２９】
リフレクタ４０は、灯具正面視において正方形に近い矩形状の外形形状を有する透明部材（例えば無色透明のアクリル樹脂製の部材）で構成されており、その上端部において図示しない支持構造によりヒートシンク３４に支持されている。
【００３０】
このリフレクタ４０は、光源３０からの出射光を入射させる入射面４０ａと、この入射面４０ａから入射した光を全反射させる反射面４０ｂと、この反射面４０ｂで全反射した光を出射させる出射面４０ｃとを備えている。
【００３１】
このリフレクタ４０の入射面４０ａは、光源３０からの出射光の大半を入射させる中央入射面４０ａ１と、その灯具後方側に位置する後部入射面４０ａ２と、中央入射面４０ａ１の灯具前方側に位置する前部入射面４０ａ３とで構成されており、左右対称の反射面形状を有している。
【００３２】
中央入射面４０ａ１は、光源３０の発光中心（すなわち発光面３０ａの中心位置）を中心とする球面状の凹曲面で構成されている。これにより中央入射面４０ａ１は、光源３０からの出射光を屈折させることなくそのままリフレクタ４０に入射させるようになっている。
【００３３】
後部入射面４０ａ２は、光源３０よりも灯具後方側において中央入射面４０ａ１の後端縁から灯具後方側へ向けて斜め下方に延びる直線を母線とする円錐面で構成されている。これにより後部入射面４０ａ２は、光源３０からの出射光を灯具前方側へ屈折させた状態でリフレクタ４０に入射させるようになっている。
【００３４】
前部入射面４０ａ３は、光源３０よりも灯具前方側において中央入射面４０ａ１の前端縁から灯具後方側へ向けて斜め上方に延びる直線を母線とする円錐面で構成されている。これにより前部入射面４０ａ３は、光源３０からの出射光を灯具前方側へ屈折させた状態でリフレクタ４０に入射させるようになっている。
【００３５】
また、リフレクタ４０において前部入射面４０ａ３の上方に位置する上端面４０ｄは、基板３２の下面３２ａと平行に延びる水平面で構成されている。
【００３６】
リフレクタ４０の反射面４０ｂは、灯具正面視において縦横格子状に区分けされた複数のセグメントの各々に反射素子４０ｓが割り付けられるとともに、上下方向に隣接する反射素子４０ｓ相互間にそれぞれ段差部４０ｇが形成された構成となっている。なお、図２においては、反射素子４０ｓが上下４段で配置されるとともに段差部４０ｇが上下３段で配置されているものとして示している。
【００３７】
各反射素子４０ｓは、光源３０の発光中心を焦点とするとともに灯具前後方向に延びる軸線を中心軸とする回転放物面を基準面とする凹曲面で構成されている。そして、各反射素子４０ｓは、入射面４０ａの中央入射面４０ａ１および後部入射面４０ａ２から入射した光源３０からの光を全反射によって反射制御するようになっている。その際、各反射素子４０ｓは、中央入射面４０ａ１から入射した光源３０からの光をやや上向きの光として全反射させるように構成されている。
【００３８】
各段差部４０ｇは、灯具側面視において光源３０の発光中心から放射状に延びる直線に沿って延びるように形成されており、これにより入射面４０ａの中央入射面４０ａ１からリフレクタ４０に入射した光を該段差部４０ｇによって遮光してしまうことなく（すなわち利用立体角を最大限に確保した状態で）各反射素子４０ｓに入射させるようになっている。
【００３９】
リフレクタ４０の出射面４０ｃは、灯具前後方向と直交する鉛直面を灯具後方側に傾斜させた平面（具体的には上記鉛直面に対して１０〜３０°程度傾斜させた平面）で構成されている。ただし、この出射面４０ｃの上端部４０ｃ１は、灯具前後方向と直交する鉛直面で構成されている。
【００４０】
そして、この出射面４０ｃは、入射面４０ａの中央入射面４０ａ１から入射して、反射面４０ｂの各反射素子４０ｓにおいてやや上向きの光として全反射した光源３０からの光を、やや下向きの光として灯具前方へ向けて出射させるようになっている。
【００４１】
また、この出射面４０ｃは、入射面４０ａの後部入射面４０ａ２から入射して反射面４０ｂの各反射素子４０ｓで全反射した光源３０からの光についても、灯具前方へ向けて出射させるようになっている。その際、この後部入射面４０ａ２面４０ａ３からの入射光も出射面４０ｃから下向きの光として出射するが、その反射位置によって出射角度が異なったものとなる。
【００４２】
さらに、この出射面４０ｃは、入射面４０ａの前部入射面４０ａ３から入射して該出射面４０ｃに直接到達した光源３０からの光についても、灯具前方へ向けて出射させるようになっている。その際、前部入射面４０ａ３からの入射光も出射面４０ｃから下向きの光として出射するが、その入射位置によって出射角度が異なったものとなる。
【００４３】
そして、灯具ユニット２０においては、光源３０からの出射光をリフレクタ４０によって灯具前方へ向けて反射させることによりロービーム用配光パターンを形成するようになっている。その際、リフレクタ４０の入射面４０ａの中央入射面４０ａ１から入射して反射面４０ｂの各反射素子４０ｓで全反射した光によって、ロービーム用配光パターンの主要部分を形成するようになっている。
【００４４】
上記灯室内においてリフレクタ４０の灯具前方側には、エクステンションパネル１６が配置されている。このエクステンションパネル１６は、リフレクタ４０を矩形状に囲むフレーム部材として形成されており、ランプボディ１２に支持されている。
【００４５】
このエクステンションパネル１６は、その上部領域においてヒートシンク３４およびリフレクタ４０の上端部を灯具前方側から覆うようになっている。一方、このエクステンションパネル１６の下部領域には、リフレクタ４０の下方において灯具後方側へ向けて斜め上方に延びる傾斜面部１６ａが形成されている。
【００４６】
この傾斜面部１６ａは、リフレクタ４０の下端縁よりも灯具前方側の位置からリフレクタ４０の下端縁よりも灯具後方側の位置まで平板状に延びるように形成されており、その後端縁はリフレクタ４０の下端縁よりも下方側に位置している。この傾斜面部１６ａの上面は、青色に塗装された塗装処理面５０として構成されており、これにより透光カバー１４を透して灯室内に入射して該塗装処理面５０に到達した外部光を青色光として灯具後方側へ向けて斜め上方に正反射させるようになっている。
【００４７】
その際、傾斜面部１６ａの上面は、斜め上前方から灯室内に入射した外部光を、塗装処理面５０において斜め上後方４５°以上の方向へ向けて正反射させるような傾斜角度で形成されている。具体的には、傾斜面部１６ａの上面は、水平面に対して１０〜２０°程度の傾斜角で灯具後方側へ向けて斜め上方に延びるように形成されている。
【００４８】
図３は、塗装処理面５０で反射した外部光の光路を示す、図２と同様の図である。
【００４９】
図３に示すように、エクステンションパネル１６の塗装処理面５０に到達した外部光は、該塗装処理面５０において灯具後方側へ向けて斜め上方に正反射した後、その多くがリフレクタ４０の反射面４０ｂに到達する。
【００５０】
そして、灯具ユニット２０においては、リフレクタ４０に到達した塗装処理面５０からの反射光を、その反射面４０ｂの各反射素子４０ｓにおいて該リフレクタ４０に入射させて所定の光路を経由させた後、その反射面４０ｂの各反射素子４０ｓで全反射させ、その出射面４０ｃからやや上向きの光として灯具前方へ向けて出射させるようになっている。
【００５１】
その際、塗装処理面５０で反射した光がリフレクタ４０に入射してからその反射面４０ｂの各反射素子４０ｓで全反射するまでの光路は複数種類存在するが、図３においては４種類の光路Ａ〜Ｄを示している。
【００５２】
光路Ａは、４種類の光路Ａ〜Ｄのうち、水平面からの上向き角度が最も大きい方向から塗装処理面５０に到達し、該塗装処理面５０の最も灯具前方寄りの位置で反射した外部光の光路である。
【００５３】
この光路Ａにおいては、塗装処理面５０で反射した外部光は、最下段に位置する反射素子４０ｓからリフレクタ４０に入射した後、その出射面４０ｃで全反射して入射面４０ａの中央入射面４０ａ１に到達し、この中央入射面４０ａ１と後部入射面４０ａ２と最上段に位置する反射素子４０ｓとで順次全反射してから出射面４０ｃに到達し、この出射面４０ｃから灯具前方へ向けて出射する。
【００５４】
光路Ｂは、水平面からの上向き角度が２番目に大きい方向から塗装処理面５０に到達し、該塗装処理面５０の灯具前方側から２番目の位置で反射した外部光の光路である。
【００５５】
この光路Ｂにおいては、塗装処理面５０で反射した外部光は、最下段に位置する反射素子４０ｓからリフレクタ４０に入射した後、その出射面４０ｃで全反射して入射面４０ａの中央入射面４０ａ１に到達し、この中央入射面４０ａ１から出射して前部入射面４０ａ３からリフレクタ４０に再入射し、上端面４０ｄから出射して基板３２の下面３２ａで正反射した後、上端面４０ｄからリフレクタ４０に再入射し、前部入射面４０ａ３から出射して中央入射面４０ａ１からリフレクタ４０に再入射し、最下段に位置する反射素子４０ｓで全反射して出射面４０ｃに到達し、この出射面４０ｃから灯具前方へ向けて出射する。
【００５６】
光路Ｃは、水平面からの上向き角度が３番目に大きい方向から塗装処理面５０に到達し、該塗装処理面５０の灯具前方側から３番目の位置で反射した外部光の光路である。
【００５７】
この光路Ｃにおいては、塗装処理面５０で反射した外部光は、下から２段目に位置する反射素子４０ｓからリフレクタ４０に入射した後、入射面４０ａの中央入射面４０ａ１に到達し、この中央入射面４０ａ１で全反射して出射面４０ｃに到達し、この出射面４０ｃから灯具前方へ向けて出射する。
【００５８】
光路Ｄは、水平面からの上向き角度が最も小さい方向から塗装処理面５０に到達し、該塗装処理面５０の最も灯具後方寄りの位置で反射した外部光の光路である。
【００５９】
この光路Ｄにおいては、塗装処理面５０で反射した外部光は、下から３段目に位置する反射素子４０ｓからリフレクタ４０に入射した後、入射面４０ａの中央入射面４０ａ１に到達し、この中央入射面４０ａ１から出射して基板３２の下面３２ａで正反射した後、中央入射面４０ａ１からリフレクタ４０に再入射し、下から２段目に位置する反射素子４０ｓで全反射して出射面４０ｃに到達し、この出射面４０ｃから灯具前方へ向けて出射する。
【００６０】
これら４種類の光路Ａ〜Ｄのうち、光路Ａ、Ｂ、Ｄは、塗装処理面５０で反射してリフレクタ４０に入射した外部光が、反射面４０ｂの反射素子４０ｓで全反射した後、出射面４０ｃからやや上向きの光として灯具前方へ向けて出射する光路となっており、光路Ｃは、塗装処理面５０で反射してリフレクタ４０に入射した外部光が、入射面４０ａの中央入射面４０ａ１で全反射した後、出射面４０ｃからやや上向きの光として灯具前方へ向けて出射する光路となっている。
【００６１】
図４は、車両用灯具１０を、その灯具ユニット２０の光源３０が非点灯状態にある状態で示す、図１と同様の図である。
【００６２】
図４に示すように、灯具ユニット２０の光源３０が非点灯状態にある車両用灯具１０を灯具前方から観察したとき、灯具ユニット２０のリフレクタ４０は、その反射面４０ｂに形成された複数の反射素子４０ｓの一部または入射面４０ａの一部が光って見える。
【００６３】
その際、塗装処理面５０は青色に塗装されているので、リフレクタ４０は部分的に青色に光って見える。また、車両用灯具１０を観察する際の視点位置によって、リフレクタ４０において青色に光って見える領域が異なったものとなる。
【００６４】
すなわち、車両用灯具１０を図３に示す光路Ａの方向（すなわち灯具前方の比較的大角度の斜め上方向）から観察したときには、図４（ａ）に示すように、リフレクタ４０は、光路Ａで塗装処理面５０に到達に到達した外部光によって、その反射面４０ｂにおいて下から４段目に位置する複数の反射素子４０ｓが横長帯状に光って見える。
【００６５】
この状態から視点位置を下げて、図３に示す光路Ｂの方向から車両用灯具１０を観察したときには、図４（ｂ）に示すように、光路Ｂで塗装処理面５０に到達に到達した外部光によって、リフレクタ４０は、その反射面４０ｂにおいて最下段に位置する複数の反射素子４０ｓが横長帯状に光って見える。
【００６６】
この状態から視点位置をさらに下げて、図３に示す光路Ｃの方向から車両用灯具１０を観察したときには、図４（ｃ）に示すように、光路Ｃで塗装処理面５０に到達に到達した外部光によって、リフレクタ４０は、その入射面４０ａの中央入射面４０ａ１が略半円弧状に光って見える。
【００６７】
この状態から視点位置をさらに一層下げて、図３に示す光路Ｄの方向から車両用灯具１０を観察したときには、図４（ｄ）に示すように、光路Ｄで塗装処理面５０に到達に到達した外部光によって、リフレクタ４０は、その反射面４０ｂにおいて下から２段目に位置する複数の反射素子４０ｓが横長帯状に光って見える。
【００６８】
次に、本実施形態の作用効果について説明する。
【００６９】
本実施形態に係る車両用灯具１０は、光源３０からの出射光をリフレクタ４０によって灯具前方へ向けて反射させるように構成された灯具ユニット２０を備えており、そのリフレクタ４０は、光源３０からの出射光を入射させる入射面４０ａと、この入射面４０ａから入射した光を全反射させる反射面４０ｂと、この反射面４０ｂで全反射した光を出射させる出射面４０ｃとを備えた透明部材で構成されているので、灯具ユニット２０にクリスタル感を持たせることができる。
【００７０】
その上で、リフレクタ４０の下方（周囲）には、外部光を反射させて該リフレクタ４０に入射させるエクステンションパネル１６（パネル部材）が配置されており、そして灯具ユニット２０は、エクステンションパネル１６で反射してリフレクタ４０に入射した外部光をその反射面４０ｂで全反射させる構成となっているので、灯具ユニット２０の光源３０の非点灯時においてもエクステンションパネル１６で反射してリフレクタ４０に入射した外部光によってその反射面４０ｂが光って見えるようにすることができ、これにより灯具ユニット２０の見映え向上を図ることができる。
【００７１】
このように本実施形態によれば、リフレクタ４０が透明部材で構成された灯具ユニット２０を備えた車両用灯具１０において、その灯具ユニット２０の見映え向上を図ることができる。
【００７２】
その際、本実施形態においては、エクステンションパネル１６の下部領域に、リフレクタ４０の下方において灯具後方側へ向けて斜め上方に延びる傾斜面部１６ａが形成されており、そして、この傾斜面部１６ａの上面は青色に塗装された塗装処理面５０として構成されているので、この塗装処理面５０で反射してリフレクタ４０に入射した外部光によってその反射面４０ｂが青色に光って見えるようにすることができる。
【００７３】
しかも、本実施形態のリフレクタ４０は、その反射面４０ｂが複数の反射素子４０ｓを備えているので、エクステンションパネル１６の塗装処理面５０で反射してリフレクタ４０に入射した外部光によって複数の反射素子４０ｓが光って見えるようにすることができ、これにより灯具ユニット２０の見映えを一層向上させることができる。
【００７４】
また本実施形態においては、灯具ユニット２０の光源３０が、基板３２に支持された発光素子で構成されており、その基板３２の下面３２ａ（表面）には白色塗装処理（光反射処理）が施されているので、エクステンションパネル１６の塗装処理面５０で反射してリフレクタ４０に入射した外部光を、基板３２の下面３２ａで反射させてリフレクタ４０に再入射させた後に、その反射面４０ｂで全反射させるようにすることができる。そしてこれにより、エクステンションパネル１６の塗装処理面５０で反射してリフレクタ４０に入射した外部光を、光源３０からの出射光に近い光としてリフレクタ４０の反射面４０ｂで全反射させることができ、これにより反射面４０ｂが略均一に光って見えるようにすることができる。
【００７５】
しかも本実施形態においては、灯具ユニット２０の光源３０がロービーム用配光パターンを形成するための点灯モード（ヘッドランプの点灯モード）で白色に点灯するように構成されており、また、エクステンションパネル１６の塗装処理面５０が青色に塗装されている（すなわちエクステンションパネル１６の下部領域における傾斜面部１６ａが光源３０の発光色とは異なる表面色を有している）ので、光源３０の非点灯時における灯具ユニット２０の斬新な見映えを演出することができる。
【００７６】
上記実施形態においては、エクステンションパネル１６の塗装処理面５０が青色に塗装されているものとして説明したが、青色以外の色（例えば、緑色、紫色、桃色、金色、銀色、白色等）に塗装された構成とすることも可能である。
【００７７】
上記実施形態においては、エクステンションパネル１６の傾斜面部１６ａの上面に青色の塗装処理面５０が形成されているものとして説明したが、エクステンションパネル１６自体を青色の部材で構成することも可能である。
【００７８】
上記実施形態においては、灯具ユニット２０がロービーム用配光パターンを形成するための灯具ユニットとして構成されているものとして説明したが、ハイビーム用配光パターンを形成するための灯具ユニットやフォグランプ用配光パターンを形成するための灯具ユニットとして構成されたものとすることも可能である。
【００７９】
次に、上記実施形態の変形例について説明する。
【００８０】
まず、上記実施形態の第１変形例について説明する。
【００８１】
図５は、本変形例に係る車両用灯具１１０を示す、図３と同様の図である。
【００８２】
図５に示すように、本変形例の基本的な構成は上記実施形態の場合と同様であるが、エクステンションパネル１１６の構成が上記実施形態の場合と異なっている。
【００８３】
すなわち、本変形例のエクステンションパネル１１６においても、その下部領域にはリフレクタ４０の下方において灯具後方側へ向けて斜め上方に延びる傾斜面部１１６ａが形成されているが、この傾斜面部１１６ａは、灯具側面視における断面形状が凸円弧状に設定されており、この断面形状で車幅方向に延びるように形成されている。
【００８４】
ただし、この傾斜面部１１６ａも、上記実施形態の場合と同様、リフレクタ４０の下端縁よりも灯具前方側の位置からリフレクタ４０の下端縁よりも灯具後方側の位置まで延びるように形成されており、その後端縁はリフレクタ４０の下端縁よりも下方側に位置している。
【００８５】
この傾斜面部１１６ａの上面は、上記実施形態の場合と同様、青色に塗装された塗装処理面１５０として構成されており、これにより透光カバー１４を透して灯室内に入射して該塗装処理面１５０に到達した外部光を青色光として灯具後方側へ向けて斜め上方に反射させるようになっている。その際、この傾斜面部１１６ａは、灯具側面視における断面形状が凸円弧状に設定されているので、斜め上前方から灯室内に入射した外部光は、灯具前後方向に延びる鉛直面内において拡散光として反射することとなる。
【００８６】
このため本変形例においては、太陽光のように斜め上前方から灯室内に平行光として入射した外部光を、塗装処理面１５０により灯具前後方向に延びる鉛直面内において拡散反射させた状態で、リフレクタ４０の反射面４０ｂの各反射素子４０ｓにおいて該リフレクタ４０に入射させ、上記実施形態の光路Ａ〜Ｄと同様の光路を経由させた後、その反射面４０ｂの各反射素子４０ｓあるいは入射面４０ａの中央入射面４０ａ１で全反射させ、その出射面４０ｃからやや上向きの光として灯具前方へ向けて出射させるようになっている。
【００８７】
図６は、車両用灯具１１０を、その灯具ユニット２０の光源３０が非点灯状態にある状態で示す、図４と同様の図である。
【００８８】
図６に示すように、灯具ユニット２０の光源３０が非点灯状態にある車両用灯具１１０を灯具前方から観察したとき、灯具ユニット２０のリフレクタ４０は、その反射面４０ｂに上下４段で形成された複数の反射素子４０ｓが横縞状に青色に光って見えるとともに入射面４０ａの中央入射面４０ａ１が略半円弧状に青色に光って見える。
【００８９】
本変形例の構成を採用した場合においても、リフレクタ４０が透明部材で構成された灯具ユニット２０を備えた車両用灯具１１０において、その灯具ユニット２０の見映え向上を図ることができる。
【００９０】
また本変形例のように、エクステンションパネル１１６の下部領域における傾斜面部１１６ａとして、灯具側面視における断面形状が凸円弧状に設定された構成とすることにより、灯具ユニット２０の光源３０の非点灯時にリフレクタ４０が広範囲にわたって同時に光って見えるようにすることができる。
【００９１】
次に、上記実施形態の第２変形例について説明する。
【００９２】
図７は、本変形例に係る車両用灯具２１０を示す、図４と同様の図である。
【００９３】
図７に示すように、本変形例の基本的な構成は上記第１変形例の場合と同様であるが、ランプボディ２１２と透光カバー２１４とで形成される灯室内に、３つの灯具ユニット２０が車幅方向に並んだ状態で組み込まれた構成となっている。
【００９４】
そして本変形例においても、３つの灯具ユニット２０のリフレクタ４０の灯具前方側にはエクステンションパネル２１６が配置されているが、このエクステンションパネル２１６は、３つのリフレクタ４０をまとめて矩形状に囲むように形成されている。
【００９５】
その際、このエクステンションパネル２１６において、３つのリフレクタ４０の下方に位置する下部領域には、灯具後方側へ向けて斜め上方に延びる傾斜面部２１６ａが形成されており、そして、この傾斜面部２１６ａは、上記第１変形例のエクステンションパネル１１６の傾斜面部１１６ａと同様、灯具側面視における断面形状が凸円弧状に設定されており、この断面形状で車幅方向に延びるように形成されている。
【００９６】
この傾斜面部２１６ａの上面は、青色に塗装された塗装処理面２５０として構成されており、これにより透光カバー２１４を透して灯室内に入射して該塗装処理面２５０に到達した外部光を青色光として灯具後方側へ向けて斜め上方に正反射させるようになっている。
【００９７】
本変形例においても、３つの灯具ユニット２０の光源３０が非点灯状態にある車両用灯具２１０を灯具前方から観察したとき、各灯具ユニット２０のリフレクタ４０は、その反射面４０ｂに上下４段で形成された複数の反射素子４０ｓが横縞状に青色に光って見えるとともに入射面４０ａの中央入射面４０ａ１が略半円弧状に青色に光って見える。その際、各灯具ユニット２０は、そのリフレクタ４０が広範囲にわたって同時に光って見える。
【００９８】
本変形例の構成を採用した場合には、リフレクタ４０が透明部材で構成された３つの灯具ユニット２０を備えた車両用灯具２１０において、各灯具ユニット２０の見映え向上を図ることができる。
【００９９】
次に、上記実施形態の第３変形例について説明する。
【０１００】
図８は、本変形例に係る車両用灯具３１０を示す、図３と同様の図である。
【０１０１】
図８に示すように、本変形例の基本的な構成は上記実施形態の場合と同様であるが、エクステンションパネル３１６の構成が上記実施形態の場合と異なっており、また、このエクステンションパネル３１６とは別のパネル部材３６０が追加配置された構成となっている。
【０１０２】
本変形例のエクステンションパネル３１６も、灯具ユニット２０のリフレクタ４０の灯具前方側に配置されており、リフレクタ４０を矩形状に囲むように形成されている。
【０１０３】
また本変形例においても、エクステンションパネル３１６の下部領域には、リフレクタ４０の下方において灯具後方側へ向けて斜め上方に延びる傾斜面部３１６ａが形成されているが、この傾斜面部３１６ａは、その後端縁がリフレクタ４０の下端縁よりも灯具前方側に位置している。
【０１０４】
そして本変形例においては、パネル部材３６０がエクステンションパネル３１６の下部領域の後方でかつリフレクタ４０の下方に配置された構成となっている。
【０１０５】
このパネル部材３６０は、灯具後方側へ向けて斜め上方に平板状に延びるとともに車幅方向に延びるように形成されている。その際、このパネル部材３６０は、リフレクタ４０の下端縁よりも灯具前方側の位置からリフレクタ４０の下端縁よりも灯具後方側の位置まで延びるように形成されており、その後端縁はリフレクタ４０の下端縁よりも下方側に位置している。その際、このパネル部材３６０は、上記実施形態のエクステンションパネル１６の傾斜面部１６ａと同一の傾斜角度で延びるように形成されている。
【０１０６】
このパネル部材３６０は、青色の樹脂製部材で構成されており、その前端部においてエクステンションパネル３１６に支持されている。
【０１０７】
本変形例においても、斜め上前方から灯室内に入射した後、エクステンションパネル３１６とリフレクタ４０との間の空間を通過した外部光を、パネル部材３６０の上面３６０ａにおいて青色の光として正反射させて、リフレクタ４０の反射面４０ｂの各反射素子４０ｓにおいて該リフレクタ４０に入射させ、上記実施形態の光路Ａ〜Ｄと同様の光路を経由させた後、その反射面４０ｂの各反射素子４０ｓで全反射させ、その出射面４０ｃからやや上向きの光として灯具前方へ向けて出射させるようになっている。
【０１０８】
本変形例においても、灯具ユニット２０の光源３０が非点灯状態にある車両用灯具３１０を灯具前方から観察したとき、灯具ユニット２０のリフレクタ４０は、その反射面４０ｂに上下４段で形成された複数の反射素子４０ｓが横縞状に青色に光って見えるとともに入射面４０ａの中央入射面４０ａ１が略半円弧状に青色に光って見える。
【０１０９】
このように本変形例の構成を採用した場合においても、リフレクタ４０が透明部材で構成された灯具ユニット２０を備えた車両用灯具３１０において、その灯具ユニット２０の見映え向上を図ることができる。
【０１１０】
また本変形例のように、エクステンションパネル３１６の下部領域の灯具後方側にパネル部材３６０が配置された構成とすることにより、灯具正面方向から直接パネル部材３６０が見えてしまわないようにすることができる。したがって、エクステンションパネル３１６をパネル部材３６０とは異なる色の部材で構成した場合であっても、灯具ユニット２０の光源３０の非点灯時にリフレクタ４０が青色に光って見えるようにすることができ、これにより灯具ユニット２０の見映えを一層向上させることができる。
【０１１１】
なお、上記実施形態およびその変形例において諸元として示した数値は一例にすぎず、これらを適宜異なる値に設定してもよいことはもちろんである。
【０１１２】
また本願発明は、上記実施形態およびその変形例に記載された構成に限定されるものではなく、これ以外の種々の変更を加えた構成が採用可能である。
【符号の説明】
【０１１３】
１０、１１０、２１０、３１０  車両用灯具
１２、２１２  ランプボディ
１４、２１４  透光カバー
１６、１１６、２１６、３１６  エクステンションパネル（パネル部材）
１６ａ、１１６ａ、２１６ａ、３１６ａ  傾斜面部
２０  灯具ユニット
３０  光源
３０ａ  発光面
３２  基板
３２ａ  下面（表面）
３４  ヒートシンク
４０  リフレクタ
４０ａ  入射面
４０ａ１  中央入射面
４０ａ２  後部入射面
４０ａ３  前部入射面
４０ｂ  反射面
４０ｃ  出射面
４０ｃ１  上端部
４０ｄ  上端面
４０ｇ  段差部
４０ｓ  反射素子
５０、１５０、２５０  塗装処理面
３６０  パネル部材
３６０ａ  上面
Ａ、Ｂ、Ｃ、Ｄ  光路
【図１】
2019145312.tif 000003
【図２】
2019145312.tif 000004
【図３】
2019145312.tif 000005
【図４】
2019145312.tif 000006
【図５】
2019145312.tif 000007
【図６】
2019145312.tif 000008
【図７】
2019145312.tif 000009
【図８】
2019145312.tif 000010